(57)【特許請求の範囲】
【請求項１】
上面のみが使用される片面使用のパレット本体に帯状をした滑り止め部を設けて構成したパレットであって、フォーク抜き差し方向と直交する帯状の柔弾性を有する滑り止め部をパレット本体の上面及び下面のフォーク抜き差し方向の両端辺付近に両端辺に沿って溶着又は接着して上方に突出して設けると共に、パレット同士を上下に重ねた状態で下段のパレットの上面に上方に突出して設けた帯状の滑り止め部と上段の下面に下方に突出して設けた帯状の滑り止め部とが隣合うように構成したものにおいて、下面のフォーク抜き差し方向の両端辺付近に両端辺に沿って溶着又は接着した滑り止め部を上面のフォーク抜き差し方向の両端辺付近に両端辺に沿って溶着又は接着した滑り止め部よりも外側にずらして成ることを特徴とするパレット。
【発明の詳細な説明】
【０００１】
【発明の属する技術分野】
本発明は、パレットにおける滑り止めの技術に関するものである。
【０００２】
【従来の技術】
従来から高い滑り止め性能を有するパレットとして、上面と下面に柔弾性を有するゴム、合成樹脂等の帯状をした滑り止め部を設けたものが特公昭５６ー４１５０５号公報により知られている。この従来例にあっては、図９に示すように、前後に前後方向にのみフォーク挿入口６を形成した二方差し構造のパレット本体１の上面にフォーク抜き差し方向（図９において矢印Ａで示す）と直交する帯状の滑り止め部２を上方に突出するように設け、下面にフォーク抜き差し方向と平行な帯状の滑り止め部２を下方に突出するように設けてパレット３を構成してある。
【０００３】
上記のような構成の二方差しのパレット３はフォークリフトを用いて上下に積み重ねる場合、上下のパレット３の前後のフォーク挿入口６がそれぞれ積み重ね状態で前後面に位置するように積み重ねられるものであり、このため、下段のパレット３の上面のフォーク抜き差し方向と直交する帯状の滑り止め部２の上に上段のパレット３の下面のフォーク抜き差し方向と平行な帯状の滑り止め部２が交差する形で載置されることになる。つまり、上下の滑り止め部２が交差部分でのみ点接触状態で載置されることになる。したがって、上下の滑り止め部２同士の接触面積が小さいので上段のパレット３に横方向の外力が作用した場合、滑り止め効果が十分でないという問題がある。
【０００４】
【発明が解決しようとする課題】
本発明は上記の従来例の問題点に鑑みて発明したものであって、パレットを上下に重ねた状態で上段のパレットが横方向に滑り落ちるのを確実に防止できるパレットを提供することを課題とするものである。
【０００５】
【課題を解決するための手段】
上記課題を解決するために、本発明のパレットは、上面のみが使用される片面使用のパレット本体１に帯状をした滑り止め部２を設けて構成したパレット３であって、フォーク抜き差し方向と直交する帯状の滑り止め部２をパレット本体の上面４及び下面５のフォーク抜き差し方向の両端辺付近に両端辺に沿って溶着又は接着して上方に突出して設けると共に、パレット３同士を上下に重ねた状態で下段のパレット３の上面４に上方に突出して設けた帯状の滑り止め部２と上段の下面５に下方に突出して設けた帯状の滑り止め部２とが隣合うように構成したものにおいて、下面のフォーク抜き差し方向の両端辺付近に両端辺に沿って溶着又は接着した滑り止め部２を上面４のフォーク抜き差し方向の両端辺付近に両端辺に沿って溶着又は接着した滑り止め部２よりも外側にずらして成ることを特徴とするものである。このような構成とすることで、パレット３同士を上下に重ねた状態で上段のパレット３同士の上下重ね合わせ部分において下段のパレット３の上面４に設けた帯状の滑り止め部２が上段のパレット３の下面に接触し、上段のパレット３の下面５に設けた帯状の滑り止め部２が下段のパレット３の上面に接触して上段のパレット３側からの荷重を下段のパレット３に伝えることになる。そして、上段のパレット３に滑り止め部２と交差する横方向から外力が作用した場合、まず、下段のパレット３の上面４に設けた帯状の滑り止め部２が上段のパレット３の下面に接触していることによる滑り止めと、上段のパレット３の下面５に設けた帯状の滑り止め部２が下段のパレット３の上面４に接触していることによる滑り止めがなされるが、上記滑り止め防止以上の外力が作用した場合、帯状をした滑り止め部２と隣合う帯状をした滑り止め部２とが当接して滑り止めがなされるものである。しかも、仮に、帯状をした滑り止め部２が隣合う帯状をした滑り止め部２に乗り越上げても、下段の帯状をした滑り止め部の上面４に上段の帯状をした滑り止め部の下面５が面接触して滑り止めを行うことになり、多段階で滑り止めがなされるものである。更に、片面使用のパレット本体１において、下面のフォーク抜き差し方向の両端辺付近に両端辺に沿って溶着又は接着した滑り止め部２を上面４のフォーク抜き差し方向の両端辺付近に両端辺に沿って溶着又は接着した滑り止め部２よりも外側にずらしてあるので、フォーク挿入口６にフォークを挿入する際に、フォークの先端がフォーク挿入口６の下縁部に衝突してもパレット本体１に溶着又は接着した帯状の滑り止め部２により衝突した部分がもぎ取られるのが防止される。
【００１２】
【発明の実施の形態】
本発明を以下添付図面に示す実施形態に基づいて詳述する。
【００１３】
パレット本体１は合成樹脂製であって、図１に示すように合成樹脂製のパレット本体１の上面４及び下面５にそれぞれゴムや合成樹脂製の柔弾性を有する帯状をした滑り止め部２を溶着又は接着してパレット３を形成してある。
【００１４】
パレット本体１の前後方向又は前後左右方向にフォーク挿入口６が形成してあり、このフォーク挿入口６はパレット本体１の側面に開口している。添付図面に示す実施形態においてはパレット本体１の前後面にそれぞれフォーク挿入口６が形成してある二方向差しのパレットの例が示してある（図１、図２において矢印Ａがフォーク抜き差し方向である）が、パレット本体１の前後左右面にそれぞれフォーク挿入口６が形成してある四方向差しのパレット３であってもよい。また、添付図面に示す実施形態においては上面４が荷物の載置面、下面５が接地面となった片面使用のパレット３の例を示しているが、上下逆にしても使用できる（つまり下面が荷物の載置面となり上面が接地面となった）両面使用のパレット３であってもよい。また、添付図面に示す実施形態においては、パレット本体１は合成樹脂により形成した上半体１ａと下半体１ｂとを溶着一体化して構成してあるが、必ずしもこれにのみ限定されるものではない。
【００１５】
パレット本体１の上面４及び下面５にはゴムや合成樹脂製の柔弾性を有する帯状の滑り止め部２を設けるに当たっては、パレット本体１の上面４及び下面５に帯状をした細長い溝８を形成し、この溝８に帯状をした細長い滑り止め部２の下半部を嵌め込んで熱溶着により溶着したり、あるいは接着剤により接着したりするものであり、滑り止め部２の上半部はパレット本体１の上面４又は下面５から上方又は下方に突出するものである。
【００１６】
ここで、パレット本体１の上面４、下面５にそれぞれ帯状の滑り止め部２を設けるに当たって、パレット３同士を上下に重ねた状態で下段のパレット３の上面４に上方に突出して設けた帯状の滑り止め部２と上段の下面５に下方に突出して設けた帯状の滑り止め部２とが長手方向の端縁同士が隣合うようにパレット本体１の上面４及び下面５にそれぞれ帯状をした滑り止め部２を配設するものである。
【００１７】
添付図面にはパレット本体１の上面４、下面５にそれぞれ帯状の滑り止め部２を配設する一実施形態が示してある。本実施形態においては、平面視四角形状をしたパレット本体１の上面４及び下面５にパレット本体１の前後左右の四辺付近に四辺に沿って平行にそれぞれ帯状をした細長い滑り止め部２を設けてある。帯状をした細長い滑り止め部２は前後左右の各辺のほぼ全長にわたってそれぞれ１本ずつ設けてあるが、辺に沿って帯状をした滑り止め部２を設けるに当たり辺に沿った帯状の細長い滑り止め部２を複数に分割して複数に分割した帯状の滑り止め部２を間隔を介して一列に辺に沿って並べてもよいものである。
【００１８】
対向する対となった辺である左右の辺に沿って設けた帯状をした上面４の滑り止め部２と左右の辺に沿って設けた帯状をした下面に設けた滑り止め部２との位置関係は、上面４又は下面５のいずれか一方の左右の対の滑り止め部２がいずれも上面又は下面のいずれか他方の左右の対の滑り止め部２よりも外側に位置して隣接するように配設してある。また、対向する対となった辺である前後の辺に沿って設けた帯状をした上面４の滑り止め部２と前後の辺に沿って設けた帯状をした下面に設けた滑り止め部２との位置関係は、上面４又は下面５のいずれか一方の前後の対の滑り止め部２がいずれも上面４又は下面５のいずれか他方の前後の対の滑り止め部２よりも外側に位置して隣接するように配設してある。
【００１９】
ここで、パレット本体１が上面４のみが使用される片面使用のものの場合、図６に示すように下面５のフォーク抜き差し方向の両端辺付近に両端辺に沿って溶着又は接着した滑り止め部２を上面４のフォーク抜き差し方向の両端辺付近に両端辺に沿って溶着又は接着した滑り止め部２よりも外側にずらすようにするのが好ましい。ここで、フォーク挿入口６の開口端部付近においては開口端の下内面（パレット本体１の下面５を構成する部位のフォーク挿入口６の開口端に面した部位）が傾斜部１ａとなっており、このフォーク挿入口６の開口端の下内面の傾斜部１ａの開口側の略半分に対応したパレット本体１の下面５が板状部１ｂとなっていてこの板状部１ｂに滑り止め部２が形成してある。このような構成とすることで、下面５側においてフォーク挿入口６を設けた側の辺に沿って滑り止め部２を設けるに当たり、下面５側において該滑り止め部２をフォーク挿入口６を設けた側の辺側により近づけることが可能で、これによりフォーク挿入口６にフォークを挿入する際に、フォークの先端がフォーク挿入口６の下縁部に衝突してもパレット本体１の傾斜部１ａに対向する下面５の板状部１ｂに溶着又は接着した帯状の滑り止め部２により衝突した部分がもぎ取られるのが防止できるようになっている。
【００２０】
しかして、上記のような構成のパレット３は上面４に載置物を載置した状態で、フォーク挿入口６にフォークリフトのフォークを挿入して持ち上げて移動するものであるが、この場合、平面視四角形状をしたパレット本体１の上面４の四辺付近に四辺に沿ってそれぞれ滑り止め部２を設けてあるので、パレット３の四辺の端辺付近において帯状の滑り止め部２により荷物の滑り止めを行うことができて荷物が前後左右の各方向に滑り落ちるのを確実に防止することができるものである。また、上記パレット３は下面を接地面に接地するのであるが、この場合、平面視四角形状をしたパレット本体１の下面５の四辺付近に四辺に沿ってそれぞれ滑り止め部２を設けてあるので、パレット３が接地面に対して前後左右方向に滑るのが防止されるものである。
【００２１】
ところで、パレット３同士を上下に複数積み重ねて保管したり、搬送したりすることがあるが、この場合、図７のようにパレット３同士を上下に重ねた状態で下段のパレット３の上面４に上方に突出して設けた帯状の滑り止め部２の長手方向の端縁と上段の下面５に下方に突出して設けた帯状の滑り止め部２の長手方向の端縁とが小間隔を介して互いに隣合うように積み重ねられる。ここで、パレット３同士を上下に重ねた状態で上段のパレット３同士の上下重ね合わせ部分において下段のパレット３の上面に設けた帯状の滑り止め部２が上段のパレット３の下面に接触し、上段のパレット３の下面に設けた帯状の滑り止め部２が下段のパレット３の上面に接触するものであり、上段のパレット３側からの荷重を下段のパレット３に伝えられることになる。したがって上段のパレット３側からの荷重は、下段のパレット３の上面４の帯状の滑り止め部２の全長及び上段のパレット３の下面の帯状の滑り止め部２の全長にわたって下段のパレット３に伝えられ、これにより柔弾性のゴムや合成樹脂等の滑り止め部２の局部的な損傷を防止することができるものである。
【００２２】
そして、図７のようにパレット３を上下に複数段積み重ねた状態で上段のパレット３に横方向からの外力が作用した場合、まず、下段のパレット３の上面４に設けた帯状の滑り止め部２が上段のパレット３の下面５に接触していることによる滑り止めと、上段のパレット３の下面５に設けた帯状の滑り止め部２が下段のパレット３の上面４に接触していることによる滑り止めがなされる。しかしながら、上記滑り止め防止以上の外力が図８の矢印Ｂで示すように作用した場合、上段のパレット３が下段のパレット３に対して横方向に移動するが、図８のように帯状をした滑り止め部２の側縁部と隣合う帯状をした滑り止め部２の側縁部とが長手方向にわたって当接することで、上段のパレット３がそれ以上横方向に移動するのが防止される。更に、仮に、それ以上の外力が作用して帯状をした滑り止め部２の側縁部が隣合う帯状をした滑り止め部２の側縁部から乗り越上げるような事態が生じても、下段の帯状をした柔弾性の滑り止め部２の上面に上段の帯状をした柔弾性をした滑り止め部の下面が滑り止め部２の長手方向にわたって面接触して滑り止めを行うことになり、多段階で滑り止めがなされるものである。
【００２３】
そして、本実施形態においては、前後左右方向に滑り止めが上記のように他段階になされるものである。
【００２４】
ところで、添付図面に示す実施形態においては、片面使用で且つ二方差し構造のパレット３において、図１に示すように、パレット本体１の上面４にフォーク抜き差し方向の両端辺付近に設けた滑り止め部２間の部分に上記フォーク抜き差し方向Ａと直交する別の帯状をした中間滑り止め部７を設けてある。これにより上面４に載置した荷物はフォーク抜き差し方向において中間部分においてもフォーク抜き差し方向と直交する別の帯状をした中間滑り止め部７により滑り止めがなされることになり、パレット３のフォーク挿入口６にフォークリフトのフォークを挿入して上下したり、あるいは持ち上げて移動する際、フォーク抜き差し方向にパレット３が傾むくことがあるが、フォーク抜き差し方向と直交する別の帯状をした中間滑り止め部７により荷物が滑り落ちるのを防止することができるものである。
【００２５】
なお、添付図面に示す実施形態においては、片面使用で且つ二方差し構造のパレット３の例で示したが、片面使用で且つ四方差し構造のパレット３であってもよいものである。
【００２６】
【発明の効果】
上記のように本発明の請求項１記載の発明にあっては、パレット同士を上下に重ねた状態で下段のパレットの上面に上方に突出して設けた帯状の滑り止め部と上段の下面に下方に突出して設けた帯状の滑り止め部とが隣合うようにパレット本体の上面及び下面にそれぞれ帯状をした滑り止め部を配設してあるので、パレット同士を上下に重ねた状態で重ね合わせ部分において上下段のパレットの帯状の滑り止め部同士が接触せず、上段のパレットからの荷重が上下段のパレットの各滑り止め部の全長にわたって伝達されることになり、帯状の滑り止め部同士が点接触状態で上下に接触してこの部分に荷重が集中して帯状の滑り止め部に局部的に損傷が発生するというおそれがなく、また、上段のパレットに横方向から外力が作用した場合、まず、下段のパレットの上面に設けた帯状の滑り止め部が上段のパレットの下面に接触していることによる滑り止めと、上段のパレットの下面に設けた帯状の滑り止め部が下段のパレットの上面に接触していることによる滑り止めがなされ、更に、上記滑り止め防止以上の外力が作用したとしても、帯状をした滑り止め部と隣合う帯状をした滑り止め部とが当接して確実に滑り止めがなされるものであり、しかも、仮に、帯状をした滑り止め部が隣合う帯状をした滑り止め部に乗り越上げても、下段の帯状をした滑り止め部の上面に上段の帯状をした滑り止め部の下面が滑り止め部に面接触して滑り止めを行うことになり、多段階で確実な滑り止めがなされ、簡単な構造で確実な滑り止め効果が期待できるものである。また、パレット本体が上面のみが使用される片面使用のものであり、フォーク抜き差し方向と直交する滑り止め部をパレット本体の上面及び下面のフォーク抜き差し方向の両端辺付近に両端辺に沿って溶着又は接着すると共に、下面のフォーク抜き差し方向の両端辺付近に両端辺に沿って溶着又は接着した滑り止め部を上面のフォーク抜き差し方向の両端辺付近に両端辺に沿って溶着又は接着した滑り止め部よりも外側にずらしてあるので、フォーク挿入口にフォークを挿入する際に、フォークの先端がフォーク挿入口の下縁部に衝突してもパレット本体に溶着又は接着した帯状の滑り止め部により衝突した部分がもぎ取られるのが防止できるものである。
【図面の簡単な説明】
【図１】本発明のパレットの平面図である。
【図２】同上のパレットの底面図である。
【図３】（ａ）は同上のパレットの正面図であり、（ｂ）は側面図である。
【図４】同上の上面の帯状の滑り止め部を実線で下面の帯状の滑り止め部を破線で記載したパレットの平面図である。
【図５】図１のＸ−Ｘ線の断面図である。
【図６】同上のパレットを上下に積み重ねる直前の要部分解断面図である。
【図７】同上のパレットを上下に積み重ねた状態の要部断面図である。
【図８】同上の上段のパレットに方向に外力が作用して隣合う帯状の滑り止め部同士が端縁部で当接した状態の断面図である。
【図９】従来例のパレットの斜視図である。
【符号の説明】
１  パレット本体
２  滑り止め部
３  パレット
４  上面
５  下面
６  フォーク挿入口
【図１】
0003943906.tif 000002
【図２】
0003943906.tif 000003
【図３】
0003943906.tif 000004
【図４】
0003943906.tif 000005
【図５】
0003943906.tif 000006
【図６】
0003943906.tif 000007
【図７】
0003943906.tif 000008
【図８】
0003943906.tif 000009
【図９】
0003943906.tif 000010